(57)【特許請求の範囲】
【請求項１】
パトローネに組み込まれたスプールに後端が係止され、先端側から、短い間隔で並べられたコマ送り制御用の一対のパーフォレーションが一コマ給送長ごとに撮影コマ数分配列され、かつ後端側の最終コマに対応した前記一対のパーフォレーションのうち先端側のパーフォレーションから後端側に向けて一コマ給送長離れた位置に最終コマの終端に対応して一対の追加パーフォレーションを設けるとともに、前記一対の追加パーフォレーションのうちの先端側のパーフォレーションを後端側に一定サイズ伸ばした大パーフォレーションにしたことを特徴とする写真フイルム。
【請求項２】
先端側から、短い間隔で並べられたコマ送り制御用の一対のパーフォレーションが一コマ給送長ごとに撮影コマ数分配列され、かつ後端側の最終コマに対応した前記一対のパーフォレーションのうち先端側のパーフォレーションから後端側に向けて一コマ給送長離れた位置に最終コマの終端に対応して前記一対のパーフォレーションと同じ間隔の一対の追加パーフォレーションを設けた写真フイルムを、露光開口を挟んだ一方側に設けたパトローネ収納室に装填したパトローネから引き出してロール形態で前記他方側に設けたフイルムロール室に収納し、前記フイルムロール室からパトローネに向けて写真フイルムを送りながら前記最終コマから順に撮影を行うとともに、前記露光開口を通る撮影光軸よりもフイルムロール室側に寄った所定位置に配したスプロケットを有するフイルム巻き止め手段を備えたレンズ付きフイルムユニットの製造方法であって、
写真フイルムを装填する工程と、写真フイルムを装填した後にフイルム巻き上げを行って、前記一対の追加パーフォレーションが前記所定位置に移動してきたことを前記フイルム巻止め手段で検知して、前記最終コマの一つ前の非撮影コマを露光開口にセットする工程と、前記非撮影コマを露光開口にセットした後にシャッタレリーズを行ってシャッタ機構の作動検査を行う工程とを備えたことを特徴とするレンズ付きフイルムユニットの製造方法。
【請求項３】
先端側から、短い間隔で並べられたコマ送り制御用の一対のパーフォレーションが一コマ給送長ごとに撮影コマ数分配列され、かつ後端側の最終コマに対応した前記一対のパーフォレーションのうち先端側のパーフォレーションから後端側に向けて一コマ給送長離れた位置に最終コマの終端に対応して前記一対のパーフォレーションと同じ間隔の一対の追加パーフォレーションを設けた写真フイルムを、露光開口を挟んだ一方側に設けたパトローネ収納室に装填したパトローネから引き出してロール形態で前記他方側に設けたフイルムロール室に収納し、前記フイルムロール室からパトローネに向けて写真フイルムを送りながら前記最終コマから順に撮影を行うレンズ付きフイルムユニットであって、
前記露光開口を通る撮影光軸よりもフイルムロール室側に寄った所定位置にスプロケットを配し、最初のフイルム巻き上げで送られてくる前記一対の追加パーフォレーションが所定位置に移動してきたことを検知したときにフイルム巻止めを無効化し、それ以降のフイルム巻き上げによって送られてくる一対のパーフォレーションによりフイルム巻き止めを行うフイルム巻止め手段を備えたことを特徴とするレンズ付きフイルムユニット。
【請求項４】
前記スプロケットの回転に連動して変位するコマ数カウンタを設け、前記コマ数カウンタは、前記スプロケットが写真フイルムの最も先端側の一対のパーフォレーションに係合して前記最初のコマを露光開口にセットするコマ送り制御が完了したときに、残りの撮影枚数が１である旨の表示位置に変位し、前記最初のコマへの撮影を完了した後のフイルム巻き上げによって移送される前記写真フイルムの最も先端側の一対のパーフォレーションにより前記スプロケットが回転したときに、残りの撮影枚数が無い旨の表示位置に変位することを特徴とする請求項３記載のレンズ付きフイルムユニット。
【請求項５】
パトローネに組み込まれたスプールに後端が係止され、先端側から、短い間隔で並べられたコマ送り制御用の一対のパーフォレーションが一コマ給送長ごとに撮影コマ数分配列され、かつ後端側の最終コマに対応した前記一対のパーフォレーションのうち先端側のパーフォレーションから後端側に向けて一コマ給送長離れた位置に最終コマの終端に対応して前記一対のパーフォレーションと同じ間隔の一対の追加パーフォレーションを設けた写真フイルムがパトローネとともに製造時に組み込まれ、撮影ごとに露光済みの写真フイルムを、露光開口を挟む一方側のパトローネ収納室に収納し、他方側のフイルムロール室から未露光の写真フイルムを引き出しながら最終コマから最初のコマに向けて順に撮影を行うレンズ付きフイルムユニットであって、
前記露光開口を通る撮影光軸よりもフイルムロール室側に寄った所定位置に前記一対のパーフォレーションに順に係合する一対の歯を有し、１コマ分のフイルム巻き上げ操作が完了したときに前記一対の歯のうちの何れかが前記一対のパーフォレーションの何れかに係合した状態となり、その後のフイルム巻き上げ操作により送られてくる一対のパーフォレーションに前記一対の歯が係合する間に写真フイルムとの間でスリップする間欠スプロケットを配したフイルム巻き止め手段と、
前記写真フイルムの最も後端側にある一対の追加パーフォレーションの移動に伴い前記間欠スプロケットが従動回転したことを検知して前記最終コマを決めるとともに、前記間欠スプロケットの回転に連動して変位するコマ数カウンタと、
前記コマ数カウンタが前記撮影コマ数分の変位を行ったときに前記フイルム巻き止め手段の巻き止めを阻止して写真フイルムの最も先頭側にある一対のパーフォレーションの検知を無効化にするコマ送り制御手段と、を備えたことを特徴とするレンズ付きフイルムユニット。
【発明の詳細な説明】
【０００１】
【発明の属する技術分野】
本発明は、コマ送り制御用のパーフォレーションが撮影コマあたり２個設けられた写真フイルム、及びこれを用いるレンズ付きフイルムユニット、並びにレンズ付きフイルムユニットの製造方法に関するものである。
【０００２】
【従来の技術】
従来、レンズ付きフイルムユニットには、フイルム巻き上げ機構、フイルム巻き止め機構、及びシャッタ機構が内蔵され、露光開口を挟んだ両側の一方に設けたパトローネ収納室にパトローネを、また他方に設けたフイルムロール室にパトローネから引き出してロール状にした写真フイルムをそれぞれ収納した形態で写真フイルムパトローネが予め装填されている。この写真フイルムには、パーフォレーションが所定間隔で形成されている。
【０００３】
フイルム巻き上げ機構は、一部が外部に露呈され、パトローネ収納室の上部で回動自在な巻き上げノブと、これの回転をパトローネ収納室に収納したパトローネのスプールに伝達する伝達手段とで構成されており、フイルム巻き上げ操作によって撮影済みの写真フイルムをパトローネに収納する。
【０００４】
フイルム巻き止め機構は、１コマ分のフイルム移送により従動スプロケットの回転と巻き上げノブの回転操作とを阻止する阻止手段が設けられており、この阻止手段は巻き上げノブの回転阻止をし易くするためにパトローネ収納室の近傍に配置されている。このため、従動スプロケットは、露光画面の中心よりもパトローネ収納室側に寄った位置でパーフォレーションに係合している。従動スプロケットの回転を阻止した状態は、露光中に写真フイルムが動くことを防止するために、従動スプロケットの歯がパーフォレーションに係合した状態としている。
【０００５】
シャッタ機構のチャージは、バネの付勢に抗してシャッタ羽根をチャージ位置に移動する方式とされており、１コマ分のフイルム移送の間で従動スプロケットが回転する力を利用してシャッタチャージを行う。このため、シャッタチャージは、バネの付勢に負けないように従動スプロケットの歯とパーフォレーションとが係合している間での従動スプロケットの回転力を利用して行っている。
【０００６】
レンズ付きフイルムユニットでは、輸送中の振動等でシャッタレリーズが行われないように、シャッタ機構のチャージを行っていない状態で組立工場から出荷される。このため購入したユーザーは、最初にフイルム巻き上げ操作を行ってシャッタチャージを行う。これにより、露光開口には、フイルム最終端側のコマ（最終コマ）がセットされる。その後は、フイルム後端側のコマから順に撮影が行われ、フイルム最先端側のコマ（最初のコマ）に撮影を完了した後のフイルム巻き上げ操作によって写真フイルム先端までの全部をパトローネに収納する。
【０００７】
ところで、特開平５−１９３６８号公報等には、フイルム前後端に非撮影領域が設けられ、これらの間の撮影領域に撮影コマあたり２個の配列でパーフォレーションが設けられた写真フイルムが提案されている。このうち、先端側から、短い間隔で並べられたコマ送り制御用の一対のパーフォレーションが１コマ給送長ごとに撮影コマ数分配列され、かつ最終コマに対応した前記一対のパーフォレーションのうち先端側のパーフォレーションから１コマ給送長離れた位置に最終コマの終端に対応して１個のパーフォレーションが設けられた写真フイルムが知られている。この写真フイルムのパーフォレーションの配列を詳しく説明すると、撮影領域には１コマ分の長さを決めるための長い間隔と各コマの相互間隔を決めるための短い間隔との２種類の間隔でパーフォレーションが交互に並んでおり、フイルム先端側の非撮影領域に、撮影領域のフイルム先端のパーフォレーションから短い間隔をあけて１個のパーフォレーションが設けられ、これによりフイルム先端側からの最初が短い間隔、そして最後が長い間隔の配列の構成とされている。
【０００８】
このような写真フイルムを前述したレンズ付きフイルムユニットに採用することを考慮すると、パーフォレーションの２種類の間隔に合わせて歯を配列した間欠スプロケットを用いれば達成できる。これによれば、この間欠スプロケットが撮影光軸に対してパトローネ収納室側に寄った位置に設けられていることから、パトローネ収納室側のパーフォレーションがコマ位置決め用とされる。そして、この位置決め用のパーフォレーションが間欠スプロケットの歯に係合するまでの間でシャッタチャージを完了させる必要があるため、この位置決め用のパーフォレーションのフイルム巻き上げ方向側（フイルム後端側）のパーフォレーションに係合している間で間欠スプロケットが回転する力を利用してシャッタチャージを行うようにすればよい。したがって写真フイルムをレンズ付きフイルムユニットに採用する場合には、短い間隔で並んだ一対のパーフォレーションをコマ送り制御に用いる。
【０００９】
【発明が解決しようとする課題】
しかしながら、前述したレンズ付きフイルムユニットでは、写真フイルムの後端側から順に撮影を行うため、フイルム巻き上げの最初に長い間隔で配置されたパーフォレーションがスプロケットに到達し、撮影領域に規定枚数分の撮影を行うことができない。そこで、撮影領域に規定枚数分を撮影を行うようにするには写真フイルムの撮影領域のうちフイルム最後端側のコマを間欠スプロケットの歯に係合した状態、すなわち、シャッタチャージが完了した状態で出荷することになる。このため、前述したように輸送中にシャッタレリーズが行われるような不具合が生じる恐れがある。
【００１０】
本発明は上記課題を解決するためのものであり、レンズ付きフイルムユニット特有の機構に依存する不具合を解消した写真フイルムを提供するとともに、この写真フイルムを用いることで生じる不具合を解消したレンズ付きフイルムユニット及びこれの製造方法を提供することを目的とする。
【００１１】
【課題を解決するための手段】
上記課題を解決するために、本発明の写真フイルムでは、パトローネに組み込まれたスプールに後端が係止され、先端側から、短い間隔で並べられたコマ送り制御用の一対のパーフォレーションが一コマ給送長ごとに撮影コマ数分配列され、かつ最終コマに対応した前記一対のパーフォレーションのうち先端側のパーフォレーションから一コマ給送長離れた位置に最終コマの終端に対応して一対の追加パーフォレーションを設けたものである。ここでいうコマ送り制御には、シャッタチャージを含む。これによれば、パーフォレーションの配列が常に短い間隔で並んだ一対のペアの形態となる。
【００１２】
コマ送り制御用の一対のパーフォレーションを撮影光軸よりもパトローネ収納室側に寄った所定位置で検知する構造のレンズ付きフイルムユニットの場合には、最初のコマ（レンズ付きフイルムユニットでの最後のコマ位置）に撮影を行った後のフイルム巻き上げによって写真フイルムの最も先端にある一対のパーフォレーションが検知されここでフイルム巻止めが行われてしまい、フイルム先端の全てをパトローネに収納することができない不具合が生じる。そこで、コマ数カウンタで写真フイルムの最も先端にある一対のパーフォレーションを無効化するようにした。
【００１３】
一方、コマ送り制御用の一対のパーフォレーションを撮影光軸よりもフイルムロール室側に寄った所定位置で検知する構造のレンズ付きフイルムユニットの場合には、最初のフイルム巻き上げによって一対の追加パーフォレーションが前記所定位置に移動してきたことが検知され、露光開口に最終コマ（レンズ付きフイルムユニットの最初のコマ位置）よりもフイルム後端側に一コマ分寄った非撮影領域がセットされ、規定枚数分よりも１個多く撮影が行われる不具合が生じる。このため、レンズ付きフイルムユニットの製造過程で、フイルム巻き上げを行った後にシャッタ機構の作動させてこれの作動検査を行ってこの非撮影領域を予め巻き上げた後に出荷する。これにより、ユーザーの初期のフイルム巻き上げによって最終コマを露光開口にセットすることができる。
【００１４】
また、フイルム巻止め手段が一対の追加パーフォレーションが所定位置にきたことを検知したときにフイルム巻止めを無効化にするのが望ましい。このようにすれば、フイルム巻止め手段が２番目以降の一対のパーフォレーションがきたことを検知してフイルム巻止めを行うから、最初のフイルム巻き上げにより最終コマを露光開口にセットすることができる。
【００１５】
また、コマ送り制御用の一対のパーフォレーションを撮影光軸よりもフイルムロール室側に寄った所定位置で検知する構造のレンズ付きフイルムユニットの場合には、予め製造過程で１コマ分のフイルム巻き上げを行っているから、最後のコマ位置（写真フイルム先端側の最初のコマ）に撮影を行った後のフイルム巻き上げによってフイルム先端の全てをパトローネに収納することができる。この場合には、最後のコマ位置がセットされたときにコマ数カウンタが残り枚数を１とする表示位置に変位し、最後のコマ位置に撮影を完了した後のフイルム巻き上げにより残り枚数が無い旨の表示位置にコマ数カウンタが変位するようにしておけばよい。
【００１６】
市販形態の写真フイルムをレンズ付きフイルムユニットにそのまま用いると、使用済みのものに不正に写真フイルムを詰め替えて使用する恐れがあるため、レンズ付きフイルムユニット用の写真フイルムにはこのような不正使用を防ぐ工夫が必要となる。そこで、一対のパーフォレーションのうちの先端側のパーフォレーションを後端側に一定サイズ伸ばした大パーフォレーションに形成するのが好適である。このパーフォレーションを大きくすることで、これに応じたスプロケットの歯も大歯に変更される。このため、市販形態の写真フイルムの標準サイズのパーフォレーションは、大歯と大きさが合わないから、詰め替えの防止となる。
【００１７】
【発明の実施の形態】
パトローネ付き写真フイルム１０は、図１に示すように、スプール１１を回動自在に収納したパトローネ１２と、スプール１１にフイルム後端１３ａが着脱自在に係止された写真フイルム１３とで構成されており、スプール１１をフイルム送り出し方向に回転させることで写真フイルム１３をフイルム先端１３ｂから外部に送り出すタイプとされている。写真フイルム１３は、フイルム先端１３ｂ側とフイルム後端１３ａ側とにそれぞれ設けられた非撮影領域と、これらの間に設けられた撮影領域とで構成されており、撮影領域がフイルムの撮影規定枚数に応じた長さとされている。この写真フイルム１３は、同図に示す面が感光乳剤を塗布した面とされており、この面とは逆の支持面側に透明な磁気記録層が塗布されている。この磁気記録層には、予め撮影規定枚数の情報が磁気記録されている。
【００１８】
撮影領域には、フイルム幅方向の一方側の縁に、フイルム給送方向に沿って同じサイズのパーフォレーション１４が２種類の間隔Ｌ１，Ｌ２で交互に配列されており、長い間隔Ｌ２のパーフォレーション１４の間の中心をカメラの露光開口のフイルム給送方向（長手方向）の中心（撮影光軸）に合わせた状態でセットされ、同図に二点鎖線で示した範囲にコマ１５が形成される。パーフォレーション１４の長い間隔Ｌ２は、各コマの長さを決めるためのものであり、また短い間隔Ｌ１は各コマの相互の間隔を決めるためのものである。そして、１コマ給送長は、間隔Ｌ１＋Ｌ２となる。
【００１９】
写真フイルムパトローネ１０は、一般のカメラで撮影を行った後に現像所に提出され、ここで自動現像焼付装置にセットされる。自動現像焼付装置では、スプール１１をフイルム送り出し方向に回転させて写真フイルム１３をフイルム先端１３ｂから送り出した後に、舌片状の部材を差し込んでフイルム後端１３ａとスプール１１との係止を解除し、写真フイルム１３だけを内部に向けて搬送して現像処理する。その後に１コマづつ給送してプリント処理を行う。
【００２０】
自動現像焼付装置の１コマ給送制御は、１コマあたり２個のパーフォレーション１４のうちフイルム先端１３ｂ側のパーフォレーション１４を利用してプリント位置に位置決めする。また、処理速度の向上を図るために、写真フイルム１３をフイルム先端１３ｂから高速で給送し、例えば光学センサでパーフォレーション１４を検出することで、フイルム先端から数えて奇数番のパーフォレーションのフイルム先端１３ｂ側のエッジを検出した際にフイルム給送速度を高速から低速に切り換え、次の偶数番のパーフォレーションのフイルム先端１３ｂ側のエッジを検出した後に、フイルム後端１３ａ側のエッジの検出でフイルム給送を停止してコマ１５をプリント位置に位置決めする制御を行う。
【００２１】
このような１コマ給送制御を利用するためには、撮影領域内にだけパーフォレーション１４を設けた形態であると、コマ１５をプリント位置に正しく位置決めすることができない。そこで、市販形態の写真フイルム１３には、フイルム先端１３ｂ側の非撮影領域のうちフイルム先端１３ｂ側に位置するパーフォレーション１４ａから短い間隔Ｌ１分隔てた位置に同じサイズのパーフォレーション１６が予め１個形成されている。これにより、パーフォレーション１４の長い間隔Ｌ２の中心をプリント位置の中心（焼付レンズの光軸）に合わせることができる。なお、自動現像焼付機では、磁気記録層から情報を読み出して規定枚数分の焼付けを行った後には、再びフイルム後端１３ａをスプール１１に係止して現像済みの写真フイルム１３をパトローネ１２に収納する。現像所では、プリント処理後のパトローネ１２を取り出して、このパトローネ１２とともにプリント写真をユーザーに返却する。
【００２２】
このようなプリントシステムに用いられるパトローネ付き写真フイルム１０をレンズ付きフイルムユニットに用いる場合には、フイルム後端１３ａ側の非撮影領域にパーフォレーション１７を１個形成する。この位置は、同図（Ｂ）に示すように、撮影領域のフイルム後端１３ａ側のパーフォレーション１４ｂからフイルム後端１３ａに向けて短い間隔Ｌ１分離した位置とする。したがって、短い間隔Ｌ１で並んだ一対のパーフォレーション１４，１６を撮影コマ数分だけ配列し、さらにこのパーフォレーション１４，１６の配列のうち、最もフイルム後端側の一対のパーフォレーション１４からさらにフイルム後端側に向けて短い間隔Ｌ１離した位置に一対の追加パーフォレーション１４ｂ，１７を配置した形態となる。これにより、パーフォレーション１４，１６，１７の配列が、全て短い間隔Ｌ１で並んだ形態となり、撮影領域内に規定枚数どおりの撮影が行え、また自動現像焼付機の１コマ送り制御をそのまま利用することができるとともに、初回のフイルム巻き上げ操作で確実にシャッタチャージが行える。このパーフォレーション１７は、パーフォレーション１４と同じサイズとされている。
【００２３】
【実施例】
図２は、前述した写真フイルム１３の一対のパーフォレーション１４，１６，１７を撮影光軸よりもパトローネ収納室側に寄った所定位置で検知する構造のレンズ付きフイルムユニット１８の外観を示すものである。レンズ付きフイルムユニット１８は、写真フイルムパトローネ１０や各種撮影機構が内蔵されたユニット本体１９とこれを収納する紙箱２０とから構成されている。紙箱２０は、ユニット本体１９に組み込まれた巻上げノブ２１，シャッタボタン２２等を露呈させるような輪郭となっており、また、撮影レンズ２３，ファインダ２４及び撮影枚数表示窓２５等を露出させるための穴が設けられている。
【００２４】
ユニット本体１９は、図３に示すように、本体基部２６、後カバー２７、露光ユニット２８、及び前カバー２９とから構成されている。本体基部２６の前面には、露光ユニット２８が着脱自在に取り付けられる。露光ユニット２８は、撮影レンズ２３を備えた露光付与機構、フイルム巻き上げ機構、ファインダー光学２８ａ、及びシャッタチャージ機構等が組み込まれており、これらはユニット化されている。後カバー２７は、本体基部２６の背後に着脱自在に取り付けられ、本体基部２６との間でパトローネ付き写真フイルム１０を光密に収納する。
【００２５】
前カバー２９は、本体基部２６の前面に着脱自在に取り付けられる。この前カバー２９の上面には、一部を切り欠いて弾性自在に形成したシャッタボタン２２が設けられている。このシャッタボタン２２の下部には、押圧ロッド３０が設けられており、詳しくは後述する露光ユニット２８の構成部品を押圧して露光付与機構を作動させる。
【００２６】
本体基部２６には、パトローネ１２を収納するためのパトローネ収納室３１と、パトローネ１２から全部引き出した未露光の写真フイルム１３をフイルムロール１３ｃの形態で収納するためのフイルムロール室３２とが一体成形されている。本実施例では、フイルムロール１３ｃを巻芯３３に巻き付けて形成している。この巻芯３３は、後カバー２７に設けた一対のフォーク２７ａによって上下端がフイルムロール室３２の内部で回動自在に支持されており、最終のフイルム巻き上げ操作の際に自然に写真フイルム１３との係合が解除される。なお、巻芯３３を省略し、フイルムロール１３ｃだけをフイルムロール室３２に収納するようにしてもよい。この場合には、一対のフォーク２７ａを省略することができる。
【００２７】
パトローネ収納室３１とフイルムロール室３２との底は開口となっており、パトローネ付き写真フイルム１０を装填した後に、後カバー２７に設けたプルトップ式の底蓋３４，３５によってそれぞれ塞がれる。底蓋３４は、撮影済みの写真フイルム１３を収納したパトローネ１２を取り出す際の蓋である。
【００２８】
パトローネ収納室３１とフイルムロール室３２との間には、暗箱３６が設けられている。暗箱３６の背面側には露光開口が形成されている。この露光開口は、ここを通るフイルム面とともに撮影レンズ２３を通る光軸２３ａを中心として湾曲した形状となっている。また後カバー２７には、フイルム面に対峙する部分にフイルム支持面３７が形成されている。このフイルム支持面３７もフイルム面と同じに湾曲している。なお、暗箱３６を露光ユニット２８に設けてもよい。また、暗箱３６を分割して一部を露光ユニット２８に、他部を本体基部２６に設け、露光ユニット２８を本体基部２６に取り付けることで暗箱３６が形成されるようにしてもよい。
【００２９】
暗箱３６の前面側には、撮影レンズ２３を透過した被写体光を露光開口に導くための開口３８が形成されている。また、暗箱３８の上方には、詳しくは後述する間欠スプロケット５２を写真フイルム１３に向けて露呈させるための開口３９が形成されている。この開口３９は、撮影レンズ２３側から見た露光開口に対して上方左側、すなわち、撮影光軸２３ａに対してパトローネ収納室３１側に寄った位置に形成されている。
【００３０】
巻き上げノブ２１は、パトローネ収納室３１の上面に回動自在に配置されている。この巻き上げノブ２１には、パトローネ収納室３１に装填されたパトローネ１２のスプール１１に係合する軸が一体に形成されている。この軸は、巻き上げノブ２１とともにフイルム巻き上げ機構を構成している。この巻き上げノブ２１は、一部が後カバー２７の開口４０から露呈されており、この露呈された部分を図中反時計方向に回転させることによりスプール１１が従動して回転し、撮影済みの写真フイルム１３をパトローネ１２の内部に収納するフイルム巻き上げ方向に移送する。
【００３１】
巻き上げノブ２１の外周には歯列２１ａが形成されている。この歯列２１ａには、本体基部２６に設けた逆止爪４１が係合している。逆止爪４１は、写真フイルム１３がフイルム巻き上げ方向とは逆の方向に送り出されるのを防止する。
【００３２】
露光ユニット２８には、露光付与機構，フイルム巻き止め機構，及びシャッタ機構の他に、フイルムカウンタ機構が設けられている。これらの機構は、図４に示すように、暗箱３６を構成するベース板４３の上面に形成された軸４４に順に挿入されるシャッタ駆動レバー４５，枚数表示板４６と、軸４７に順に挿入される捩じりバネ４８，係止レバー４９と、軸受け開口５０に挿入される回転部材５１と、間欠スプロケット５２，板バネ５３，シャッタ羽根５４とから構成されている。なお、符号２１ｂは、巻き上げノブ２１とスプール１１とを連結する軸である。
【００３３】
間欠スプロケット５２は、回転部材５１の下部に係合されて、前述した開口３９からフイルム面に向けて露呈される。間欠スプロケット５２の円周面５２ａには、詳しくは図５に示すように、短い間隔Ｌ１で並んだ一対のパーフォレーション１４に順次に噛合する一対の歯５６，５７が、円周面５２ａ上に１８０°の回転対称で２対設けられており、１コマ給送長分のフイルム移送に従動して半回転する。この円周面５２ａの長さとしては写真フイルムの１コマ給送長と同じか、或いはこれよりも短くするのが望ましい。なお、間欠スプロケット５２の従動方向は、同図に示す反時計方向、すなわちフイルム巻き上げ方向に沿った回転方向とされている。なお、図５に示す符号３６ａは、露光開口を示している。
【００３４】
回転部材５１は、下方から被押圧部６０，シャッタチャージカム６１，巻止めカム６２，二歯ギヤ６３とから構成されており、これらは一体に形成されている。被押圧部６０には、板バネ５３の付勢が伝達される一対の突起６０ａが１８０°回転対称で形成されており、間隔の広い一対の歯５６，５７の間の円周面５２ａが写真フイルム１３に対峙した際に、板バネ５３の付勢によって突起６０ａを押圧して回転部材５１をフイルム巻き上げ方向の沿った従動方向に回動させる。これにより、間欠スプロケット５２の歯５６，５７は、次のパーフォレーション１４に噛合可能な位置に移動されることになる。シャッタチャージカム６１には、一対のカム６１ａが１８０°対象で形成されており、この回動軌跡内にシャッタ駆動レバー４５の一端４５ｃが入り込んでいる。
【００３５】
捩じりバネ４８は、一端４８ａがシャッタ駆動レバー４５のバネ受け４５ａに引っ掛けられこれを反時計方向（レリーズ完了位置）に向けて付勢し、また他端４８ｂが係止レバー４９の立ち下がり片４９ｄに引っ掛けられこれを時計方向（巻き止め位置）に向けて付勢している。係止レバー４９は、捩じりバネ４８の付勢によって爪部４９ａが巻止めカム６２の外周に当接されている。１コマ給送長分の写真フイルム１３の巻き上げにより回転部材５１が半回転すると、シャッタ駆動レバー４５はシャッタチャージカム６１によって時計方向（チャージ位置）に向けて回動される。
【００３６】
また、係止レバー４９は、回転部材５１が半回転するごとに爪部４９ａが巻止めカム６２の溝６２ａに合致するので、捩じりバネ４８の付勢によって時計方向に僅かに回転される。係止レバー４９が時計方向に回転されると、係止レバー４９の下突条部４９ｂがシャッタ駆動レバー４５の立ち上がり片４５ａの回転軌跡内に入り込んでシャッタ駆動レバー４５をシャッタチャージ位置に保持する。また、このときには、係止レバー４９の巻止め爪４９ｃが巻上げノブ２１の外周の歯列２１ａに噛合して、フイルム巻き上げ操作を阻止する。
【００３７】
回転部材５１の半回転によって二歯ギヤ６３も半回転され、これが枚数表示板４６を一目盛り分だけ時計方向に歩進させる。枚数表示板４６の上面には、その回転ピッチに対応して枚数表示用の目盛りが設けられている。この目盛りはその時点で撮影可能なフイルム枚数、すなわち残数表示目盛りとなっているから、この目盛りを表示窓２５を通して観察することによって残りコマ数を確認することができる。
【００３８】
シャッタボタン２２が押下されると、押圧ロッド３０が係止レバー４９の立ち下がり片４９ｄを押圧して反時計方向（巻き止め解除位置）に向けて回転させる。これにより、係止レバー４９の下突条部４９ｂとシャッタ駆動レバー４５の立ち上がり片４５ａとの係合が解除されるので、シャッタ駆動レバー４５は捩じりバネ４８の付勢によって反時計方向に回動する。このときに、シャッタ駆動レバー４５の蹴飛ばしアーム４５ｂが、軸６５に揺動自在に組み付けられたシャッタ羽根５４を蹴飛ばして図中時計方向に回転させる。これにより、シャッタ開口６７が開放され、写真フイルム１３への露光が行われる。また、シャッタ羽根５４は引き戻しバネ６６の付勢によって反時計方向に回転されて、すぐにシャッタ開口６７を閉じる。
【００３９】
係止レバー４９が反時計方向に回転されると、巻止め爪４９ｃが歯列２１ａから退避し、爪部４９ａが溝６２ａから退避するので、次回のフイルム巻き上げ操作が許容される。巻上げノブ２１をフイルム巻上げ方向（反時計方向）に回転操作すると、前述のように回転部材５１が半回転され、シャッタチャージと枚数表示板４６の一目盛り分の歩進とが行われる。
【００４０】
以上のように撮影を繰り返し、写真フイルム１３の最初のコマ１５ａへの撮影が終了すると、写真フイルム１４の最も先頭側にある一対のパーフォレーション１４ａ，１６を無効化する機構が必要となる。この機構は、枚数表示板４６の下面に形成されたカム４６ａと、係止レバー４９に設けた立ち上がり突起４９ｅとで構成されている。最初のコマ１５ａに撮影を終了した後の最終巻き上げ操作によってパーフォレーション１４ａ，１６が間欠スプロケット５２に到達し、間欠スプロケット５２が半回転する。この回転によって枚数表示板４６が撮影完了を表示する位置に歩進する。このとき、枚数表示板４６の歩進によりカム４６ａが係止レバー４９の立ち上がり突起４９ｅの回動軌跡内に入り込む。これにより、係止レバー４９が巻き止め位置と巻き止め解除位置との間のフイルム収納許容位置に保持される。
【００４１】
フイルム収納許容位置では、係止レバー４９の爪部４９ａが巻止めカム６２の溝６２ａから退避し、また、巻止め爪４９ｃが巻き上げノブ２１の歯列２１ａから退避し、さらに、下突条部４９ｂがシャッタ駆動レバー４５の立ち上がり片４５ａの回動軌跡内に入り込んでシャッタ駆動レバー４５をチャージ位置で保持する状態となる。これにより、フイルム巻き止め機構の作動が無効化され、また巻き上げノブ２１のフイルム巻き上げ方向への回転が自由となり、さらに、シャッタ機構の作動が無効化された状態になるから、その後のフイルム巻き上げ操作によって露光を行うことなく写真フイルム１３の全てをパトローネ１２に収納することができる。
【００４２】
次に上記実施例の作用について説明する。写真フイルムパトローネ１０の装填は、パトローネ１２をパトローネ収納室３１に、またパトローネ１２から引き出してロール状にしたフイルムロール１３ｃをフイルムロール室３２にそれぞれ収納する。写真フイルム１３の引き出しは、撮影領域に指定された最終コマ１５ｂを露光開口３６ａにセットする分だけ引き出した後に、さらにパーフォレーション１４の短い間隔Ｌ１分を越える長さだけ引き出す。このとき間欠スプロケット５２は、長い間隔で配列した歯５７，５６間の円周部５２ａが写真フイルム１３に対峙するシャッタチャージ未完了の回転位置にしておく。これにより、間欠スプロケット５２の歯５６，５７が写真フイルム１３に突っかかることなく写真フイルムパトローネ１０をスムーズに装填することができる。また、この間欠スプロケット５２の状態ではシャッタ機構のシャッタチャージが完了していないから、このまま出荷することで輸送中の振動等でシャッタボタン２２が押されてもシャッタレリーズが行われることはない。
【００４３】
レンズ付きフイルムユニット１８を購入したユーザーは、始めに巻き上げノブ２１を回転操作して撮影準備を行う。巻き上げノブ２１の回転操作により写真フイルム１３がパトローネ１２内に巻き上げられる。このとき、間欠スプロケット５２は、歯５６，５７とパーフォレーション１４とが全く噛合していない状態であり、板バネ５３により従動方向に付勢されているため、一対の歯５６，５７のうち従動方向側の先頭の歯５６の側面が写真フイルム１３に当接した状態で停止しており、写真フイルム１３だけがスリップして移送される。
【００４４】
引き続きフイルム巻き上げ操作が行われることで、追加パーフォレーション１７，１４ｂのうち、非撮影領域のパーフォレーション１７が間欠スプロケット５２に向けて移送される。これにより、間欠スプロケット５２の先頭の歯５６がパーフォレーション１７に噛合し、続いて最終コマ１５ｂのフイルム後端１３ａ側のパーフォレーション１４ｂが移送されることで短い間隔で並んだ後続の歯５７が噛合する。
【００４５】
この間の間欠スプロケット５２の回転により、シャッターチャージカム６１がシャッタ駆動レバー４５を捩じりバネ４８の付勢に抗して時計方向であるチャージ位置に向けて回転させる。そして、後続の歯５７がパーフォレーション１４ｂと確実に係合する位置、すなわち間欠スプロケット５２の半回転位置に回転することで、爪部４９ａが巻止めカム６２の溝６２ａに入り込んで間欠スプロケット５２の回転を阻止する。このときの係止レバー４９の回転により下突条部４９ｂがシャッタ駆動レバー４５の立ち上がり片４５ａの回動軌跡内に入り込んでシャッタ駆動レバー４５をチャージ位置に保持するとともに、巻止め爪４９ｃが巻き上げノブ２１の歯列２１ａに係合して巻き上げノブ２１の回転操作を阻止する。これにより、露光開口３６ａには撮影領域に指定された最終コマ１５ｂがセットされた状態となる。
【００４６】
その後、後カバー２７の接眼窓２７ｂから覗いて撮影範囲を確認し、シャッタボタン２２を押下すると、押圧ロッド３０が立ち下がり片４９ｄを押圧して係止レバー４９を反時計方向（巻き止め解除位置）に向けて回転させる。これにより、係止レバー４９の下突条部４６ｂとシャッタ駆動レバー４５の立ち上がり片４５ａとの当接が解除されるので、シャッタ駆動レバー４５は捩じりバネ４８の付勢によって反時計方向に回転し、シャッタ羽根５４を蹴飛ばす。これにより、シャッタ開口６７が開放され、写真フイルム１３への露光が行われる。また、シャッタ羽根５４は引き戻しバネ６６の付勢によって反時計方向に回動されて、すぐにシャッタ開口６７を閉じる。
【００４７】
撮影が終了した時点では、立ち上がり片４５ａが下突条部４９ｂの回動軌跡内に入り込んでシャッタ駆動レバー４５が係止レバー４９を巻き止め解除位置に保持した状態となっている。このため、係止レバー４９の巻止め爪４９ｃが歯列２１ａから退避し、また爪部４９ａが溝６２ａから退避しているので、次回のフイルム巻き上げ操作を許容した状態とされる。その後、巻き上げノブ２１をフイルム巻上げ方向（反時計方向）に回転操作すると、前述のように回転部材５１が半回転され、シャッタチャージと枚数表示板４６の一目盛り分の回動とが行われる。
【００４８】
以上のように撮影とフイルム巻き上げ操作とを繰り返すことで、露光開口３６ａに位置決めするコマ１５に対して、このコマ２５のフイルム先端１３ｂ側から数えたコマ数を「Ｘ」とすると、フイルム先端１３ｂ側から数えて２Ｘ＋１番目のパーフォレーション１６，１４，１７に間欠スプロケット５２の歯５７が係合してフイルム巻き止めが行われる。露光順は、撮影領域のうち最終コマ１５ｂから最初のコマ１５ａへと行われ、そして、最初のコマ１５ａへの撮影が終了した後には、枚数表示板４６が残り枚数「１」を表示した位置まで歩進している。その後のフイルム巻き上げ操作によってパーフォレーション１４ａ，１６が順に到達する。これらのパーフォレーション１４ａ，１６によって間欠スプロケット５２が回転し、枚数表示板４６が一目盛り分だけ歩進して撮影完了を表示する。この歩進で枚数表示板４６のカム４６ａが係止レバー４９の立ち上がり突起４９ｅの回動軌跡内に入り込んで、係止レバー４９をフイルム収納許容位置に保持する。これにより、フイルム巻き止め機構とシャッタ機構との作動が無効化され、また巻き上げノブ２１のフイルム巻き上げ方向への回転が自由とされるので、フイルム巻き上げ操作が継続され、全ての写真フイルム１３がパトローネ１２の内部に巻き込まれる。
【００４９】
撮影済みのレンズ付きフイルムユニット１８は、そのままの形態で現像所に提出される。現像所では、底蓋３４を開けて撮影済みの写真フイルム１３を収納したパトローネ１２を取り出し、このパトローネ１２を自動現像焼付装置にセットする。自動現像焼付装置では、スプール１１をフイルム送り出し方向に回転させて写真フイルム１３をフイルム先端１３ｂから送り出した後に、舌片状の部材を差し込んでフイルム後端１３ａとスプール１１との係止を解除し、撮影済みの写真フイルム１３だけを内部に向けて搬送して現像処理する。その後に１コマづつ給送してプリント処理を行う。
【００５０】
自動現像焼付装置の１コマ給送制御は、写真フイルム１３をフイルム先端１３ｂから高速で給送し、フイルム先端１３ｂから数えて奇数番目のパーフォレーション１６，１４のフイルム先端１３ｂ側のエッジを光学センサ等で検出した際にフイルム給送速度を高速から低速に切り換え、次の偶数番目のパーフォレーション１６，１４のフイルム先端１３ｂ側のエッジを検出した後に、フイルム後端１３ａ側のエッジの検出でフイルム給送を停止して各コマ１５をプリント位置に位置決めする。すなわち、プリント時には、各コマ１５に対して焼付け光軸の右側に位置するパーフォレーションをコマ送り制御用に用いる。
【００５１】
この自動現像焼付装置は、焼付け回数がカウントされており、また磁気記録層から規定枚数の情報を読み出している。これにより、焼付けは規定枚数分の焼付けを行うことで完了され、その後は、再びフイルム後端１３ａをスプール１１に係止して現像済み写真フイルム１３をパトローネ１２に収納する。このパトローネ１２はプリント写真とともにユーザーに返却される。このように、自動現像焼付装置の１コマ給送制御では、規定枚数分のプリントを行うことでプリントを完了するから、パーフォレーション１４ｂとパーフォレーション１７とを用いることがなく、したがって、レンズ付きフイルムユニット専用に設けたパーフォレーション１７によってプリント処理にトラブル等を与えることはない。
【００５２】
上記実施例では、パーフォレーション１６，１４，１７を全て同じサイズにしているが、本発明ではこれに限らず、自動現像焼付装置の１コマ給送制御をそのまま利用できるのであれば、異なるサイズとしてもよい。例えば、図６に示す写真フイルム７０には、撮影領域にサイズの異なる大小２個のパーフォレーション７２を２種類の間隔Ｌ１，Ｌ２で交互に配列しており、大パーフォレーション７２ａは、指定されたコマ１５の範囲に対して左上に、また小パーフォレーション７２ｂはコマ１５の範囲に対して右上に位置するような配列とされている。この小パーフォレーション７２ｂは、図１で説明したパーフォレーション１４と同じサイズとされている。
【００５３】
フイルム先端７０ａの大パーフォレーション７３は、市販形態の写真フイルムに予め形成されたパーフォレーション１６を大きく加工したものであり、また、フイルム後端７０ｂの小パーフォレーション７４はレンズ付きフイルムユニット１８用に新たに追加したものである。
【００５４】
大パーフォレーション７２ａ，７３は、小パーフォレーション７２ｂ，７４よりもフイルム後端７０ｂ側に沿って長さＬ４だけフイルム後端７０ｂの方向に沿って長くされている。すなわち、大パーフォレーション７２ａ，７３は、フイルム給送方向に沿った両エッジのうち、フイルム後端７０ｂ側のエッジの位置をフイルム後端７０ｂに向けてずらしている。したがって、プリント時のコマ送り制御で用いるフイルム先端７０ａ側のエッジの位置は変わらない。このため、各コマ１５の中心に対して、右上の小パーフォレーション７２ｂのフイルム先端７０ａ側及びフイルム後端７０ｂ側の両エッジまでの距離と、左上に位置する大パーフォレーション７２ａのフイルム先端７０ａ側のエッジまでの距離は、図１で説明した写真フイルム１３と同じとなるから、そのまま自動現像焼付装置に利用することができる。なお、どちらのパーフォレーション７２もフイルム幅方向の長さは同じとされている。
【００５５】
このような写真フイルム７０をレンズ付きフイルムユニット１８に用いる場合には、パーフォレーション７２の大きさに合わせて間欠スプロケットの歯のサイズを決めればよい。これによれば、第三者が使用済みのレンズ付きフイルムユニット１８に新たに写真フイルム７０を詰め替えて使用するような不正を防止することができる。
【００５６】
また、図７（Ａ），（Ｂ）に示すような間欠スプロケット８０を採用してもよい。この間欠スプロケット８０には、短い間隔で配列された一対のパーフォレーション７２ａ，７２ｂに順に係合する大小の歯８１，８２を、円周面８０ａ上の１８０°の回転対象の位置に２対設けた構造である。大歯８１は、内部に肉抜き部８３が形成されており、一端８１ａで間欠スプロケット８０の円周面８０ａに連結されている。この一端８１ａの肉厚は、細く形成されており、市販の写真フイルムのパーフォレーションに噛合できるようにするために大歯８１を切削加工すると、大歯８１の一端８１ａが破断されて円周面８０ａから分離してしまうので、不正な写真フイルムの詰め替えを確実に防止することができる。
【００５７】
また、弾性を有する樹脂で間欠スプロケット８０を成型した場合には、一端８１ａを中心にして大歯８１が弾性変形自在となる。このため、例えば、小歯８２が小パーフォレーション７２ｂへの噛合に失敗して大パーフォレーション７２ａに噛合した場合、大歯８１は噛合するパーフォレーションが存在しないため写真フイルム１３の平面に突き当たっても、図中に２点鎖線で示すように、大歯８１は一端８１ａを中心にして間欠スプロケット８０の内部に向けて入り込むように弾性変形するので、写真フイルム７０を破損並びに損傷させることはない。
【００５８】
本発明では、図６で説明した実施例のようなパーフォレーション以外の形状にサイズを変更してもよい。この場合には、自動現像焼付装置の１コマ給送制御にそのまま利用することができるようにしておく。すなわち、フイルム先端から数えて奇数番のパーフォレーションに対してはフイルム先端側のエッジを、また偶数番のパーフォレーションに対してはフイルム給送方向の両端エッジを、各コマに対して所定距離の位置にしておけばよい。また、前述したレンズ付きフイルムユニット１８のフイルム巻き止め機構では、間欠スプロケット５６，８０の半回転でフイルム巻き止めを行うようにしているが、本発明ではこれに限らず、１回転でフイルム巻き止めを行うようにしてもよい。この場合には対に設けた間欠スプロケット５６，８０の歯５６，５７、８１，８２、並びに回転部材５１に設けた溝６２ａ、カム６１、及び突起６０ａのうち一方を省略することができる。
【００５９】
図８は、コマ送り制御用の一対のパーフォレーション１４，１６，１７を撮影光軸２３ａよりもフイルムロール室３２側に寄った所定位置で検知する構造のユニット本体９０を示している。本体基部９１は、間欠スプロケット５２を写真フイルム１３の通路に向けて露呈する開口９３が、撮影光軸２８ａよりもフイルムロール室３２側に寄った位置に設けられている。露光ユニット９４は、間欠スプロケット５２の位置の変更に伴ってフイルム巻止め機構、シャッタ機構、及びフイルムカウンタ機構等が撮影光軸２８ａよりもフイルムロール室３２側に寄った位置に配置され、代わりにファインダー光学９４ａが撮影光軸２８ａよりもパトローネ収納室３１側に寄った位置に配置されている。
【００６０】
図９に示すように、露光ユニット９４のフイルム巻止め機構、シャッタ機構、及びフイルムカウンタ機構等の構造は、図４で説明したものと同じ機構とされている。違いは、係止レバー４９が巻き上げノブ２１から離れているため、係止レバー４９の巻止め爪４９ｃを長く延ばすとともに、ファインダー光学９４を逃げるように屈曲した形状とした点である。
【００６１】
また、間欠スプロケット５２は、一対のパーフォレーション１４，１６，１７を撮影光軸２３ａよりもフイルムロール室側に寄った所定位置で検知するため、図１０に示すように、最初のコマ１５ａに撮影を行った後のフイルム巻き上げの過程ではパーフォレーションが到達するこがなく、したがって、この最終巻き上げ操作によりフイルム先端１３ｂの全てをパトローネ１２に収納することができる。この場合には、最初のコマ１５ａが露光開口３６ａにセットされたときに図９に示した枚数表示板９５が残り枚数を表示窓２５に「１」を表示する位置に回転し、最初のコマ１５ａに撮影を完了した後のフイルム巻き上げにより写真フイルム１３が移送され、このときの僅かなスプロケット５２の回転により枚数表示板９５が残り枚数を表示窓２５に無い旨の表示位置に回転するようにしておけばよい。したがって、この枚数表示板９５には、図４で説明したカム４６ａを省略することができる。
【００６２】
さらに、このレンズ付きフイルムユニットでは、スプロケット５２で一対のパーフォレーション１４，１６，１７を撮影光軸２３ａよりもフイルムロール室側に寄った所定位置で検知するため、最初のフイルム巻き上げによって一対の追加パーフォレーション１７，１４ｂが所定位置に移動してきたことが検知されると、露光開口に最終コマ１５ｂよりもフイルム後端側に一コマ分寄った非撮影領域がセットされ、規定枚数分よりも１個多く撮影が行われる不具合が生じる。このため、このレンズ付きフイルムユニットの製造では、写真フイルム１３を装填後にシャッタ検査を行う。
【００６３】
シャッタ検査の工程では、フイルム巻き上げを行って、露光開口３６ａに前記非撮影領域をセットした後に、シャッタレリーズを行う。このとき、露光開口３６ａにセットされた非撮影領域が露光されないようにシャッタ機構の作動の検査を行うことが望ましい。
【００６４】
そこで、シャッタ検査としては、例えば暗室の内部で、近赤外のレーザー光を撮影レンズ２３に入射させ、これの奥のシャッタ羽根５４で反射した光を受光部で受けてこの反射光を受光しなかった時間を測定することで、シャッタ羽根５４の揺動速度を検査するようにした。これによれば、赤外光を使用しているので、写真フイルムを露光させることはない。そして、シャッタレリーズ完了後の状態のまま出荷する。これにより、ユーザーが最初のフイルム巻き上げを行うことで２番目の一対のパーフォレーション１４がスプロケット５２で検知されて最終コマ１５ｂが露光開口３６ａにセットされる。
【００６５】
図８ないし図１０で説明したレンズ付きフイルムユニットでは、製造過程で予め１コマ分のフイルム巻き上げを行った状態で出荷して規定枚数通りの撮影を行わすようにしているが、本発明ではこれに限らず、例えば最初のフイルム巻き上げで送られてくる一対の追加パーフォレーション１７，１４ｂに対するフイルム巻止めを無効化し、２番目の一対のパーフォレーション１４から順にフイルム巻止めが行われるフイルム巻止め機構を採用してもよい。この機構としては、例えば前述した枚数表示板９５の下面にカムを設け、一対の追加パーフォレーション１７，１４ｂを検知したときの枚数表示板９５の回転位置で前記カムを係止レバー４９の立ち上がり突起４９ｅに係合させ、係止レバー４９を巻止め位置に回転させないようにすればよい。
【００６６】
【発明の効果】
以上説明したように、請求項１記載の写真フイルムでは、フイルム後端から短い間隔でコマ送り制御用の一対のパーフォレーションが並ぶようにしたから、初回のフイルム巻き上げ操作によってシャッタチャージが行え、シャッタ機構のチャージを完了させた状態で出荷しなくてはならない不具合を確実に解消することができる。また、写真フイルムの短い間隔で並んだコマ送り制御用の一対のパーフォレーションのうちのフイルム先端側のパーフォレーションをフイルム後端側に一定サイズ伸ばした大パーフォレーションに形成したから、市販形態の写真フイルムを使用済みのレンズ付きフイルムユニットに不正に写真フイルムを詰め替えて使用する不正使用を防ぐことができる。
【００６７】
請求項２記載の発明では、コマ送り制御用の一対のパーフォレーションを撮影光軸よりもフイルムロール室側に寄った所定位置で検知する構造のレンズ付きフイルムユニットであるため、製造過程でフイルム巻き上げを行った後にシャッタレリーズを行ってシャッタ機構の作動検査を行うようにしたから、規定枚数通りの撮影が行えるようになる。また、請求項３記載の発明では、コマ送り制御用の一対のパーフォレーションを撮影光軸よりもフイルムロール室側に寄った所定位置で検知する構造のレンズ付きフイルムユニットであるため、一対の追加パーフォレーションの検知をフイルム巻止め手段で無効化したから、規定枚数どおりの撮影を行うことができる。
【００６８】
請求項４記載の発明では、コマ送り制御用の一対のパーフォレーションを撮影光軸よりもフイルムロール室側に寄った所定位置で検知する構造のレンズ付きフイルムユニットであるから、最初のコマがセットされたときにコマ数カウンタを残り枚数を１とする表示位置に変位させ、最初のコマに撮影を完了した後のフイルム巻き上げにより残り枚数が無い旨の表示位置にコマ数カウンタを変位させるようにしたから、確実なコマ数のカウントで表示することができる。
【００６９】
請求項５記載のレンズ付きフイルムユニットでは、スプロケットの回転に連動してコマ数カウンタを変位させ、このコマ数カウンタが前記撮影コマ数分の変位を行ったときにコマ送り制御を解除して写真フイルムの最も先頭側にある一対のパーフォレーションの検知を無効化にしたから、予め決められた規定枚数分だけの撮影を行うことができる。
【図面の簡単な説明】
【図１】本発明の写真フイルムパトローネの説明図であり、写真フイルムの乳剤面側から見た状態を示している。
【図２】本発明のレンズ付きフイルムユニットの外観を示す斜視図である。
【図３】ユニット本体の構成を示す分解斜視図である。
【図４】フイルム巻き上げ機構、フイルム巻き止め機構、シャッタ機構、及びフイルムカウンタ機構を示す分解斜視図である。
【図５】（Ａ）は露光開口にセットされた写真フイルムを撮影レンズ側から見た正面図、（Ｂ）はこの写真フイルムに係合する間欠スプロケットを上から見た平面図を示している。
【図６】サイズの異なるパーフォレーションを形成した別の実施例の写真フイルムを乳剤面側から見た示す説明図である。
【図７】（Ａ）は図６で説明した大小のサイズにした一対のパーフォレーションの要部を示し、（Ｂ）は、この一対のパーフォレーションに係合する間欠スプロケットトを示した説明図である。
【図８】コマ送り制御用の一対のパーフォレーションを撮影光軸よりもフイルムロール室側に寄った所定位置で検知する実施例を示す分解斜視図である。
【図９】図８に示した露光ユニットの要部の機構を示す分解斜視図である。
【図１０】（Ａ）は露光開口にセットされた写真フイルムを撮影レンズ側から見た正面図、（Ｂ）は図９で説明した間欠スプロケットが写真フイルムのパーフォレーションに係合している状態を上から見た平面図を示している。
【符号の説明】
１１  スプール
１３，７０  写真フイルム
１４，１６，１７，７２，７３，７４  パーフォレーション
５２，８０  間欠スプロケット
【図１】
0003609184.tif 000002
【図２】
0003609184.tif 000003
【図３】
0003609184.tif 000004
【図４】
0003609184.tif 000005
【図５】
0003609184.tif 000006
【図６】
0003609184.tif 000007
【図７】
0003609184.tif 000008
【図８】
0003609184.tif 000009
【図９】
0003609184.tif 000010
【図１０】
0003609184.tif 000011